(57)【要約】  【課題】穴を形成してない厚いファイル対象物をファイルするバインダー用金具やバインダーは機構的に難しく、部品数が増し、製作費が高価になり、ファイル対象物の着脱の操作性が悪く、着脱に時間がかかる。  【解決手段】バインダー用金具１は、水平なベース板２、ベース板２に立設されたロッド部材３、ロッド部材３の周面の全部又は一部に形成された雄ネジ部８、このロッド部材３が摺動自在に挿通する被案内孔とファイル対象物Ｐを押える押圧面１０を有する押圧部材４であって、ロッド部材３と被案内孔の案内作用により平行に昇降可能で且つ状態では押圧面１０とロッド部材４とのなす角度をほぼ直角に保持してファイル対象物Ｐを押圧する押圧部材４と、ロッド部材３のネジ部８に螺合され且つ手動で回すことにより押圧部材４をベース板２の方へ押圧駆動可能な操作用ナット部材５とを有する。【選択図】  図８
2007125721.tif 000002
【特許請求の範囲】
【請求項１】
書類等のファイル対象物の一端部を押圧して綴じるバインダー用金具において、
ファイル対象物を着脱する際の姿勢において水平なベース板と、
このベース板に垂直に立設されたロッド部材と、
前記ロッド部材の周面のうちの周方向の少なくとも一部にほぼ全長に亘って形成された雄ネジ部と、
このロッド部材が摺動自在に挿通する被案内孔とファイル対象物を押える為の押圧面を有する押圧部材であって、ロッド部材と被案内孔の案内作用により上下方向に平行移動可能で且つ前記ファイル対象物を押圧する状態では前記押圧面とロッド部材とのなす角度をほぼ直角に保持する押圧部材と、
前記押圧部材の上側においてロッド部材のネジ部に螺合され且つ手動で回転操作することにより前記押圧部材をベース板の方へ押圧駆動可能な操作用ナット部材と、
を備えたことを特徴とするバインダー用金具。
【請求項２】
前記ロッド部材はその水平断面が角部を円弧にしたほぼ正方形に形成され、このロッド部材の４つの角部に前記雄ネジ部が形成されたことを特徴とする請求項１に記載のバインダー用金具。
【請求項３】
前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔はその水平断面が正方形に形成されたことを特徴とする請求項２に記載のバインダー用金具。
【請求項４】
前記ロッド部材はその水平断面が円形に形成され、このロッド部材の全周に前記雄ネジ部が形成されたことを特徴とする請求項１に記載のバインダー用金具。
【請求項５】
前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔の内壁面の上端部と下端部には面取り部又は丸み部が形成されたことを特徴とする請求項４に記載のバインダー用金具。
【請求項６】
前記ロッド部材として所定間隔あけて配置された１対のロッド部材が設けられ、
前記押圧部材には１対のロッド部材が夫々挿通する１対の被案内孔が形成され、
前記操作用ナット部材として１対のロッド部材の雄ネジ部に夫々螺合された１対の操作用ナット部材が設けられたことを特徴とする請求項３又は５に記載のバインダー用金具。  
【請求項７】
前記ロッド部材として所定間隔あけて配置された１対のロッド部材が設けられ、
前記押圧部材として１対のロッド部材に対応する１対の押圧部材が設けられ、
前記操作用ナット部材として１対のロッド部材の雄ネジ部に夫々螺合された１対の操作用ナット部材が設けられたことを特徴とする請求項３又は５に記載のバインダー用金具。  
【請求項８】
前記押圧部材は、板状の本体板部と、この本体板部と一体的に形成された厚板部であって、被案内孔が形成され且つ操作用ナット部材で押圧される厚板部とを有することを特徴とする請求項３又は５に記載のバインダー用金具。
【請求項９】
前記押圧部材は、板状の本体板部と、この本体板部と一体的にプレス成形により形成された筒状部であって、被案内孔が形成され且つ操作用ナット部材で押圧される筒状部とを有することを特徴とする請求項３又は５に記載のバインダー用金具。
【請求項１０】
前記ロッド部材の下端部には下端に開放する立て向きのネジ穴が形成され、
ロッド部材は、ベース板の円形穴に下方から挿通させて前記ネジ穴に螺合させたビス部材によりベース板に取外し可能に固定されたことを特徴とする請求項１〜９の何れかに記載のバインダー用金具。
【請求項１１】
前記ロッド部材と押圧部材と操作用ナット部材は、マグネシウム合金で構成されたことを特徴とする請求項１〜９の何れかに記載のバインダー用金具。
【請求項１２】
書類等のファイル対象物の一端部を押圧して綴じるバインダーにおいて、
ファイル対象物を着脱する際の姿勢において水平な裏側表紙を備えた表紙部材と、
前記表紙部材の裏側表紙の内面に固定された水平なベース板と、
このベース板に垂直に立設されたロッド部材と、
前記ロッド部材の周面のうちの周方向の少なくとも一部にほぼ全長に亘って形成された雄ネジ部と、
このロッド部材が摺動自在に挿通する被案内孔とファイル対象物を押える為の押圧面を有する押圧部材であって、ロッド部材と被案内孔の案内作用により上下方向に平行移動可能で且つ前記ファイル対象物を押圧する状態では前記押圧面とロッド部材とのなす角度をほぼ直角に保持する押圧部材と、
前記押圧部材の上側においてロッド部材のネジ部に螺合され且つ手動で回転操作することにより前記押圧部材をベース板の方へ押圧駆動可能な操作用ナット部材と、
を備えたことを特徴とするバインダー。
【請求項１３】
前記ロッド部材はその水平断面が角部を円弧にしたほぼ正方形に形成され、このロッド部材の４つの角部に前記雄ネジ部が形成されたことを特徴とする請求項１２に記載のバインダー。
【請求項１４】
前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔はその水平断面が正方形に形成されたことを特徴とする請求項１３に記載のバインダー。
【請求項１５】
前記ロッド部材はその水平断面が円形に形成され、このロッド部材の全周に前記雄ネジ部が形成されたことを特徴とする請求項１２に記載のバインダー。
【請求項１６】
前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔の内壁面の上端部と下端部には面取り部又は丸み部が形成されたことを特徴とする請求項１５に記載のバインダー。
【請求項１７】
前記ロッド部材として所定間隔あけて配置された１対のロッド部材が設けられ、
前記押圧部材には１対のロッド部材が夫々挿通する１対の被案内孔が形成され、
前記操作用ナット部材として１対のロッド部材の雄ネジ部に夫々螺合された１対の操作用ナット部材が設けられたことを特徴とする請求項１４又は１６に記載のバインダー。    
【請求項１８】
前記ロッド部材として所定間隔あけて配置された１対のロッド部材が設けられ、
前記押圧部材として１対のロッド部材に対応する１対の押圧部材が設けられ、
前記操作用ナット部材として１対のロッド部材の雄ネジ部に夫々螺合された１対の操作用ナット部材が設けられたことを特徴とする請求項１４又は１６に記載のバインダー。
【請求項１９】
前記押圧部材は、板状の本体板部と、この本体板部と一体的に形成された厚板部であって、被案内孔が形成され且つ操作用ナット部材で押圧される厚板部とを有することを特徴とする請求項１４又は１６に記載のバインダー。
【請求項２０】
前記押圧部材は、板状の本体板部と、この本体板部と一体的にプレス成形により形成された筒状部であって、被案内孔が形成され且つ操作用ナット部材で押圧される筒状部とを有することを特徴とする請求項１４又は１６に記載のバインダー。
【請求項２１】
前記ロッド部材の下端部には下端に開放する立て向きのネジ穴が形成され、
ロッド部材は、ベース板の円形穴に下方から挿通させて前記ネジ穴に螺合させたビス部材によりベース板に取外し可能に固定されたことを特徴とする請求項１２〜２０の何れかに記載のバインダー。
【請求項２２】
前記ロッド部材と押圧部材と操作用ナット部材は、マグネシウム合金で構成されたことを特徴とする請求項１２〜２０の何れかに記載のバインダー。
【発明の詳細な説明】
【技術分野】
【０００１】
本発明は、ファイル対象物の一端部を押圧して綴じるバインダー用金具及びバインダーに関し、特にネジ機構を有効活用して強力に簡単に押圧可能にしたものに関する。
【背景技術】
【０００２】
従来、バインダーに装備されるバインダー用金具には、書類等のファイル対象物の端部に形成した２つの穴に、２つのロッドや可撓性のバンド部材を通してファイルする２穴式バインダー用金具、ファイル対象物の端部に穴を形成することなくファイル対象物の左端部を押圧してクランプするようにした押圧式バインダー用金具とがある。本発明は押圧式バインダー用金具及びこのバインダー用金具を組込んだバインダーに関するものである。      
【０００３】
２穴式バインダー用金具の場合、ファイル対象物の左端部に１対の穴を形成するのが煩わしく、ファイル対象物が穴で傷つけられ、ファイル対象物の着脱も面倒である。
【０００４】
従来、押圧式バインダー用金具として、表紙に固定されたベース板、押え板、ベース板に押え板を連結する平行リンク機構、レバー部材、平行リンク機構とレバー部材に連結された捩じりバネ等からなるバインダーのバインダー用金具が広く実用化されている。
【０００５】
この種のバインダー用金具では、最大３ｃｍ位の厚さのファイル対象物まではファイル可能であるが、それ以上の厚さのファイル対象物をファイルするバインダー用金具にする為には、平行リンク機構、レバー部材、捩じりバネなどを大型化する必要があり、製作費が高価になるなど実用性が低下する。
【０００６】
一方、本願出願人は、特許文献１に示すようなバインダー用金具（ファイル用押圧装置）を提案した。このバインダー用金具は、ベース板、押圧板、ベース板と押圧板を連結する１対の台形脚状のリンク部材、これらリンク部材の下端部を水平方向へ移動自在に案内する安内機構、それらリンク部材の下端部が相接近方向へ移動しないようにロック可能なラチェット機構、このラチェット機構を解除する解除機構などを有する。
【０００７】
このバインダー用金具では、１対のリンク部材の下端部を移動自在に案内する案内機構により、１対のリンク部材が鉛直面から傾動しないように規制しなければならないので、この案内機構の構造が複雑化し、製作費の増加要因となる。しかも、全体として部品数が多くなり、長さの大きなベース板及び案内機構と、長く強度・剛性の高い１対のリンク部材が必要であるので全体的に大型化し、製作費が高価になる。しかも、厚いファイル対象物をファイルした場合は１対のリンク部材がベース板と直角に近い状態になるため強い押圧力を得ることが難しい。
【０００８】
特許文献２に記載されたバインダー用金具は、ベース板に立設された伸縮可能なネジ軸（下段ネジ軸と、この下段ネジ軸に螺合された上段ネジ軸）、このネジ軸の上端に螺合されたギヤボックス、ネジ軸の上端に固着されたウォームホイール、このウォームホイールに噛合され且つギヤボックスに装備されたウォームギヤ、このウォームギヤを手動で回す為のハンドルなどで構成されている。
【０００９】
特許文献３に記載されたバインダー用金具は、ベース板、このベース板に立設されたネジ軸、このネジ軸が貫通した水平な調整板、ネジ軸の両側で調整板に固定された１対の板バネであって上端がネジ軸に係止される１対の板バネ、調整板の軸受けに支持された水平なカム軸、このカム軸の先端に固着された偏心ローラカム、カム軸の途中部に固着された操作レバー、カム軸の基端に固着された楕円形の板カムであって１対の板バネを開閉可能な板カムなどを有する。
【００１０】
ファイル対象物の上面の板材の上面に偏心ローラカムを当接させ、操作レバーによりカム軸を回して偏心ローラカムを回転させることで、偏心ローラカムの増力作用でファイル対象物を強く押圧できるように構成されている。
【特許文献１】特開２００１−２６０５８２号公報
【特許文献２】特開平１−２１０３９７号公報
【特許文献３】特開平１−２７２４９３号公報
【発明の開示】
【発明が解決しようとする課題】
【００１１】
特許文献２のバインダー用金具では、ウォームギヤ機構を介してネジ軸を回したり、ギヤボックスを手動で回すことによってギヤボックスを昇降させて、ギヤボックスによりファイル対象物をクランプする。そのため、ファイル対象物の着脱の際に、ネジ軸やギヤボックスを急速に回転させることができず、ファイル対象物の着脱に時間がかかる。
【００１２】
ファイル対象物をクランプした状態でファイル対象物から作用する反力によりギヤボックスに作用する回転モーメントに対して、ギヤボックスを水平姿勢に保持できるか否か疑問である。バインダー用金具は、ネジ軸、ウォームギヤ機構、ギヤボックスなど部品数も多く、構造が複雑で、製作費が非常に高価になるため、到底実用に耐えるものではない。      
【００１３】
特許文献３のバインダー用金具は、ネジ機構の締結力でファイル対象物を押圧するものではなく、偏心ローラカムの増力作用でファイル対象物を押圧する。ファイル対象物を押圧した状態において調整板を水平姿勢に保持する機構について開示がない。このバインダー用金具は、部品数が多く、構造が複雑で、製作費も高価になり、到底実用に耐えるものではない。
【００１４】
従来、ネジ機構を採用したバインダー用金具が広く実用化されなかったのは、押圧用のナット部材を手動で迅速に回転させることが難しいと想定されたこと、また、ネジ軸に案内させつつ、ファイル対象物を押圧する押圧部材を昇降させる際に、押圧部材とネジ軸のネジ山が干渉するので押圧部材を円滑に昇降させることが難しいこと、２本のネジ軸にファイル対象物の左端を当接させた状態で押圧すると、ファイル対象物の左端が傷つくこと、などの理由によるものと推定される。
【課題を解決するための手段】
【００１５】
請求項１のバインダー用金具は、書類等のファイル対象物の一端部を押圧して綴じるバインダー用金具において、ファイル対象物を着脱する際の姿勢において水平なベース板と、このベース板に垂直に立設されたロッド部材と、前記ロッド部材の周面のうちの周方向の少なくとも一部にほぼ全長に亘って形成された雄ネジ部と、このロッド部材が摺動自在に挿通する被案内孔とファイル対象物を押える為の押圧面を有する押圧部材であって、ロッド部材と被案内孔の案内作用により上下方向に平行移動可能で且つ前記ファイル対象物を押圧する状態では前記押圧面とロッド部材とのなす角度をほぼ直角に保持する押圧部材と、前記押圧部材の上側においてロッド部材のネジ部に螺合され且つ手動で回転操作することにより前記押圧部材をベース板の方へ押圧駆動可能な操作用ナット部材とを備えたことを特徴とするものである。
【００１６】
このバインダー用金具において、ファイル対象物を装着して押圧する際には、ベース板と押圧部材の押圧面とでファイル対象物の端部を挟み、操作用ナット部材を手動で回転操作することで、押圧部材をベース板の方へ押圧駆動してファイル対象物をクランプ状態にする。ファイル対象物を取り出す際に、操作用ナット部材を緩めてから所望のファイル対象物を取り出し、その後上記と同様にしてファイル対象物をクランプ状態にする。操作用ナット部材に押圧荷重が作用してない状態では、操作用ナット部材を手動により急速回転させることができるので、ファイル対象物の着脱を簡単に能率的に行うことができる。
【００１７】
ここで、前記のバインダー用金具に、次のような種々の構成を採用してもよい。
【００１８】
請求項１の発明において、前記ロッド部材はその水平断面が角部を円弧にしたほぼ正方形に形成され、このロッド部材の４つの角部に前記雄ネジ部が形成された（請求項２）。      
【００１９】
請求項２の発明において、前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔はその水平断面が正方形に形成された（請求項３）。
【００２０】
請求項１の発明において、前記ロッド部材はその水平断面が円形に形成され、このロッド部材の全周に前記雄ネジ部が形成された（請求項４）。
【００２１】
請求項４の発明において、前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔の内壁面の上端部と下端部には面取り部又は丸み部が形成された（請求項５）。
【００２２】
請求項３又は５の発明において、前記ロッド部材として所定間隔あけて配置された１対のロッド部材が設けられ、前記押圧部材には１対のロッド部材が夫々挿通する１対の被案内孔が形成され、前記操作用ナット部材として１対のロッド部材の雄ネジ部に夫々螺合された１対の操作用ナット部材が設けられた（請求項６）。
【００２３】
請求項３又は５の発明において、前記ロッド部材として所定間隔あけて配置された１対のロッド部材が設けられ、前記押圧部材として１対のロッド部材に対応する１対の押圧部材が設けられ、前記操作用ナット部材として１対のロッド部材の雄ネジ部に夫々螺合された１対の操作用ナット部材が設けられた（請求項７）。
【００２４】
請求項３又は５の発明において、前記押圧部材は、板状の本体板部と、この本体板部と一体的に形成された厚板部であって、被案内孔が形成され且つ操作用ナット部材で押圧される厚板部とを有する（請求項８）。
【００２５】
請求項３又は５の発明において、前記押圧部材は、板状の本体板部と、この本体板部と一体的にプレス成形により形成された筒状部であって、被案内孔が形成され且つ操作用ナット部材で押圧される筒状部とを有する（請求項９）。
【００２６】
請求項１〜９の何れかの発明において、前記ロッド部材の下端部には下端に開放する立て向きのネジ穴が形成され、ロッド部材は、ベース板の円形穴に下方から挿通させて前記ネジ穴に螺合させたビス部材によりベース板に取外し可能に固定された（請求項１０）。      
【００２７】
請求項１〜９の何れかの発明において、前記ロッド部材と押圧部材と操作用ナット部材は、マグネシウム合金で構成された（請求項１１）。
【００２８】
請求項１２のバインダーは、書類等のファイル対象物の一端部を押圧して綴じるバインダーにおいて、ファイル対象物を着脱する際の姿勢において水平な裏側表紙を備えた表紙部材と、前記表紙部材の裏側表紙の内面に固定された水平なベース板と、このベース板に垂直に立設されたロッド部材と、前記ロッド部材の周面のうちの周方向の少なくとも一部にほぼ全長に亘って形成された雄ネジ部と、このロッド部材が摺動自在に挿通する被案内孔とファイル対象物を押える為の押圧面を有する押圧部材であって、ロッド部材と被案内孔の案内作用により上下方向に平行移動可能で且つ前記ファイル対象物を押圧する状態では前記押圧面とロッド部材とのなす角度をほぼ直角に保持する押圧部材と、前記押圧部材の上側においてロッド部材のネジ部に螺合され且つ手動で回転操作することにより前記押圧部材をベース板の方へ押圧駆動可能な操作用ナット部材とを備えたことを特徴とするものである。
【００２９】
このバインダーは、表紙部材を有し、この表紙部材は、ファイル対象物を着脱する際の姿勢において水平な裏側表紙を備え、この裏側表紙にベース部材が固定され、このベース部材にロッド部材、押圧部材、操作用ナット部材が装備されている。このバインダーにより、ファイル対象物をクランプしたり、押圧解除したりする場合の作用は、請求項１のバインダー用金具と同様であるので、その説明を省略する。
【００３０】
ここで、前記のバインダーに、次のような種々の構成を採用してもよい。
【００３１】
請求項１２の発明において、前記ロッド部材はその水平断面が角部を円弧にしたほぼ正方形に形成され、このロッド部材の４つの角部に雄ネジ部が形成された（請求項１３）。      
【００３２】
請求項１３の発明において、前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔はその水平断面が正方形に形成された（請求項１４）。
【００３３】
請求項１２の発明において、前記ロッド部材はその水平断面が円形に形成され、このロッド部材の全周に前記雄ネジ部が形成された（請求項１５）。
【００３４】
請求項１５の発明において、前記被案内孔の内壁面には前記ファイル対象物を押圧する状態では前記押圧面とロッド部材とのなす角度をほぼ直角に保持する為の傾動規制部が形成され、前記ロッド部材の雄ネジ部と押圧部材が干渉しないように、前記被案内孔の内壁面の上端部と下端部には面取り部又は丸み部が形成された（請求項１６）。
【００３５】
請求項１４又は１６の発明において、前記ロッド部材として所定間隔あけて配置された１対のロッド部材が設けられ、前記押圧部材には１対のロッド部材が夫々挿通する１対の被案内孔が形成され、前記操作用ナット部材として１対のロッド部材の雄ネジ部に夫々螺合された１対の操作用ナット部材が設けられた（請求項１７）。
【００３６】
請求項１４又は１６の発明において、前記ロッド部材として所定間隔あけて配置された１対のロッド部材が設けられ、前記押圧部材として１対のロッド部材に対応する１対の押圧部材が設けられ、前記操作用ナット部材として１対のロッド部材の雄ネジ部に夫々螺合された１対の操作用ナット部材が設けられた（請求項１８）。
【００３７】
請求項１４又は１６の発明において、前記押圧部材は、板状の本体板部と、この本体板部と一体的に形成された厚板部であって、被案内孔が形成され且つ操作用ナット部材で押圧される厚板部とを有する（請求項１９）。
【００３８】
請求項１４又は１６の発明において、前記押圧部材は、板状の本体板部と、この本体板部と一体的にプレス成形により形成された筒状部であって、被案内孔が形成され且つ操作用ナット部材で押圧される筒状部とを有する（請求項２０）。
【００３９】
請求項１２〜２０の何れかの発明において、前記ロッド部材の下端部には下端に開放する立て向きのネジ穴が形成され、ロッド部材は、ベース板の円形穴に下方から挿通させて前記ネジ穴に螺合させたビス部材によりベース板に取外し可能に固定された（請求項２１）。請求項１２〜２０の何れかの発明において、前記ロッド部材と押圧部材と操作用ナット部材は、マグネシウム合金で構成された（請求項２２）。
【発明の効果】
【００４０】
請求項１のバインダー用金具によれば、押圧部材が、ロッド部材が摺動自在に挿通する被案内孔と、ファイル対象物を押える為の押圧面を有し、押圧部材がロッド部材に上下方向に平行移動可能であり、ロッド部材の雄ネジ部に螺合させた操作用ナット部材により押圧部材を押圧駆動可能である。ファイル対象物を装着する際は、ファイル対象物の端部を押圧部材の下に装着してから、操作用ナット部材を手動で急回転させて押圧部材に当接させ、その後操作用ナット部材を手動で強くに回転駆動することでファイル対象物を迅速に且つ強力にクランプ状態にすることができる。
【００４１】
ファイル対象物を取り外す際は、操作用ナット部材を手動で少し緩めてから、ファイル対象物を簡単に迅速に取り外すことができ、その後前記と同様に操作用ナット部材を手動で強くに回転駆動することでファイル対象物を迅速に且つ強力にクランプ状態にすることができる。押圧部材をロッド部材に対し上下に平行移動可能で且つファイル対象物を押圧する状態では押圧部材の押圧面とロッド部材のなす角度をほぼ直角に保持するように構成したので、ファイル対象物をクランプする機構が簡単になる。このバインダー用金具では、部品数が少なく、構造が簡単で、安価に製作することができる。
【００４２】
請求項２の発明によれば、ロッド部材は、その水平断面が角部を円弧にしたほぼ正方形で、このロッド部材の４つの角部に雄ネジが形成されたので、ロッド部材により押圧部材の水平方向への回転を規制でき、雄ネジから操作用ナット部材に作用する摩擦抵抗も小さくすることができるから、操作用ナット部材の回転が円滑になる。ロッド部材の右側部にファイル対象物の左端を受ける平面を形成できるため、ファイル対象物の左端をロッド部材に接触させた状態で押圧しても、ファイル対象物の左端が傷つくことがない。
【００４３】
請求項３の発明によれば、押圧部材の被案内孔の内壁面に形成された傾動規制部により、ファイル対象物を押圧する状態では押圧面とロッド部材とのなす角度をほぼ直角に保持することができる。そして、被案内孔はその水平断面が正方形に形成されたので、ロッド部材の雄ネジ部と押圧部材が干渉することがなく、押圧部材を円滑に昇降させることができる。
【００４４】
請求項４，５の発明によれば、ロッド部材はその水平断面が円形に形成され、被案内孔の内壁面に形成された傾動規制部により、ファイル対象物を押圧する状態では押圧面とロッド部材とのなす角度をほぼ直角に保持することができる。そして、ロッド部材の被案内孔の内壁面の上端部と下端部には面取り部又は丸み部が形成されたため、押圧部材が昇降する際に、ロッド部材の雄ネジ部と押圧部材が干渉することがない。
【００４５】
請求項６の発明によれば、１対のロッド部材、１つの押圧部材、１対の操作用ナット部材を装備したので、ファイル対象物の左端を１対のロッド部材で位置決めすることができ、ファイル対象物を１対の操作用ナット部材で強力に押圧することができる。
【００４６】
請求項７の発明によれば、１対のロッド部材、１対の押圧部材、１対の操作用ナット部材を装備したので、ファイル対象物の左端を１対のロッド部材で位置決めすることができ、ファイル対象物を１対の操作用ナット部材で強力に押圧することができる。各押圧部材を小型化し、小さな操作力で押圧部材を昇降可能にすることができ、１対の押圧部材を全体として小型化することができる。
【００４７】
請求項８の発明によれば、押圧部材は、板状の本体部と、この本体部と一体の厚板部とを有し、厚板部に被案内孔を形成するため、厚板部の被案内孔の内壁面に傾動規制部を形成する上で有利であり、強度面でも有利である。
【００４８】
請求項９の発明によれば、押圧部材が、板状の本体部と、この本体部と一体的にプレス成形された筒状部とを有するため、金属板をプレス成形することにより押圧部材を作ることができる。
【００４９】
請求項１０の発明によれば、ロッド部材の下端部には下端に開放する立て向きのネジ穴が形成され、ロッド部材は、ベース板の円形穴に下方から挿通させて前記ネジ穴に螺合させたビス部材によりベース板に取外し可能に固定されているため、ユーザーがロッド部材をビスでベース板に固定することができるから、ロッド部材をベース板から分離した状態で、バインダー用金具を梱包用ケースに収納して輸送することができる。
【００５０】
請求項１１の発明によれば、ロッド部材と押圧部材と操作用ナット部材をマグネシウム合金で構成するため、それらを射出成形により安価に製作できるうえ、軽量で使い易いものになる。
【００５１】
請求項１２〜２２のバインダーは、裏側表紙を備えた表紙部材に、請求項１〜１１のバインダー用金具を夫々設けたものであるので、基本的に請求項１〜１１と同様の効果を奏する。
【発明を実施するための最良の形態】
【００５２】
本発明のバインダー用金具は、書類等のファイル対象物の一端部を押圧して綴じるバインダー用金具において、ファイル対象物を着脱する際の姿勢において水平なベース板と、このベース板に垂直に立設されたロッド部材と、ロッド部材が摺動自在に挿通する被案内孔とファイル対象物を押える為の押圧面を有する押圧部材と、ロッド部材の雄ネジ部に螺合され押圧部材を押圧駆動可能な操作用ナット部材とを有する。押圧部材は、ロッド部材と被案内孔の案内作用により上下方向に平行移動可能で且つファイル対象物を押圧する状態では押圧面とロッド部材とのなす角度をほぼ直角に保持するように構成されている。
【００５３】
本発明のバインダーは、前記のバインダー用金具を、表紙部材の裏側表紙の内面に装備したものである。以下、本発明の実施例について説明する。
【実施例１】
【００５４】
実施例１のバインダー用金具について図１〜図８に基づいて説明する。
【００５５】
図１〜図５に示すように、バインダー用金具１は、表紙部材のあるバインダーに装備して使用されるものであるが、このバインダー用金具１単独でも使用可能なものである。バインダー用金具１は、ベース板２と、このベース板２に立設された１対のロッド部材３と、押圧部材４と、１対の操作用ナット部材５などを備えている。
【００５６】
ベース板２は、書類などのファイル対象物Ｐの左端部に沿う方向に細長い長方形の金属製の板部材であり、例えば、厚さ０．６〜１．０ｍｍ程度のステンレス鋼板、メッキ鋼板、又は射出成形にて製作されたマグネシウム合金板などで構成されている。ベース板２のサイズは例えば３５ｍｍ×９０ｍｍである。ベース板２は、ファイル対象物Ｐを着脱する際の姿勢において水平であり、このベース板２の姿勢を基準として、また、その姿勢（図４の状態）を前後左右の基準として、以下説明する。
【００５７】
１対のロッド部材３は、ベース板２の長さ方向に所定間隔あけて配置され、これらロッド部材３（例えば長さ４０〜８０ｍｍ）は、ベース板２に垂直に立設されている。これらロッド部材３は鋼製のものでもよいが、本実施例のロッド部材３はマグネシウム合金からなる射出成形品であり、ロッド部材３は水平断面が１辺６〜８ｍｍ程度の正方形の角部を部分円筒状に形成し、そこに雄ネジ部８を形成したものである。ロッド部材３は、雄ネジ部８も射出成形時に成形される。図５，図７に示すように、ロッド部材２の下端部分には、下端に開放する立て向きのネジ穴６が形成され、ベース板２の円形穴に下方から挿通させてネジ穴６に螺合させたビス部材７により、ロッド部材３がベース板２に取外し可能に固定されている。図１〜図３，図６，図８に示すように、ロッド部材３の周面のうちの周方向の少なくとも一部（４つの角部）にほぼ全長に亘って雄ネジ部８が形成されている。      
【００５８】
ロッド部材３はその水平断面が角部を円弧にしたほぼ正方形に形成され、このロッド部材３の４つの角部に雄ネジ部８が形成され、押圧部材４よりも上側において、ロッド部材３の４つの雄ネジ部８に操作用ナット部材５が螺合されている。ロッド部材３の左右両面には滑らかな平面状の案内面３ａ，３ｂが形成され、ロッド部材３の前後両面には滑らかな平面状の案内面３ｃ，３ｄが形成されている。ロッド部材３の４面には、平面状の案内面３ａ〜３ｄが現れるため、外観のデザインの面で好ましい。
【００５９】
押圧部材４は鋼製のものでもよいが、本実施例の押圧部材４は、マグネシウム合金からなる射出成形品である。この押圧部材４の平面視のサイズはベース板２とほぼ同サイズであるが、例えば３０ｍｍ×９０ｍｍである。押圧部材４は、１対のロッド部材３が摺動自在に夫々挿通する１対の被案内孔９と、ファイル対象物Ｐを押える為の平面状の押圧面１０を備えている。押圧部材４は、１対のロッド部材３と１対の被案内孔９の案内作用により上下方向に平行移動可能で且つファイル対象物Ｐを押圧する状態では押圧面１０とロッド部材３とのなす角度をほぼ直角に保持するように構成されている。
【００６０】
押圧部材４は、板状の本体板部４ａ（例えば厚さ約１．０〜２．０ｍｍ）と、この本体板部４ａの上側に一体的に形成された平面視ほぼ正方形の１対の厚板部４ｂであって１対のロッド部材３に対応する１対の厚板部４ｂとを有する。厚板部４ｂのサイズは例えば１７ｍｍ×１７ｍｍであり、厚板部４ｂの厚さは本体板部４ａの厚さの２〜３倍の厚さである。各厚板部４ｂには鉛直方向に貫通する水平断面正方形の被案内孔９が形成され、この厚板部４ｂは操作用ナット部材５で上から押圧される部位となる。ファイル対象物Ｐを押圧部材４により押圧してクランプ状態にすると、図８に示すようにファイル対象物Ｐからの反力Ｆが作用し、押圧部材４にはファイル対象物Ｐから離隔しようとする回転モーメントＭが作用するので、図７に示すように、被案内孔９の内壁面には、ファイル対象物Ｐを押圧する状態では押圧部材４の押圧面１０とロッド部材３とのなす角度をほぼ直角に保持する為の傾動規制部９ａ，９ｂが形成されている。
【００６１】
ロッド部材３の左右の案内面３ａ，３ｂと被案内孔９の左右の内壁面との間には、小さな摺動隙間（例えば、０．１〜０．２ｍｍの隙間）が形成され、被案内孔９の内壁面のうちの左側壁面と右側壁面が前記の傾動規制部９ａ，９ｂを構成している。他方、押圧部材４を昇降させる際に、押圧部材４が前後に僅かに傾いても押圧部材４を円滑に昇降させ得るように、ロッド部材３の前後の案内面３ｃ，３ｄと被案内孔９の内壁面との間には、前記の小さな摺動隙間より幾分大きな摺動隙間が形成されている。
【００６２】
押圧部材４をロッド部材３に対して昇降させる際にロッド部材３の雄ネジ部８と押圧部材４が干渉しないように、図６に示すように、被案内孔９内において雄ネジ部８は被案内孔９の角部の空間に臨んでいる。
【００６３】
図１〜図３に示すように、押圧部材４の上側においてロッド部材３の雄ネジ部８には操作用ナット部材５が螺合され、この操作用ナット部材５を手動で回転操作することにより押圧部材４をベース板２の方へ押圧駆動可能に構成されている。この操作用ナット部材５は鋼や真鍮や合成樹脂等の材料で構成してもよいが、本実施例の操作用ナット部材５は、マグネシウム合金からなる射出成形品（但し、ネジ穴を機械加工する）で構成したものである。
【００６４】
図４に示すように、操作用ナット部材５は４つの突出した操作部５ａを有し、操作用ナット部材５をロッド部材３に螺合させた状態で、４つの操作部５ａを指で回転駆動するように構成されている。ロッド部材３の雄ネジ部がロッド部材３の角部の４つの雄ネジ部８からなるので、雄ネジ部８と操作用ナット部材５間に作用する摩擦力が小さくなる。それ故、押圧荷重が作用してない状態では、操作用ナット部材５を円滑に急速回転させることができる。操作用ナット部材５は、図４に示すように、押圧部材４の厚板部４ｂの範囲内に納まる大きさに形成するのがデザイン上が望ましい。但し、操作部５ａは厚板部４ｂの外側へはみ出してもよい。
【００６５】
ロッド部材３の雄ネジ部８が全周面ではなく、４つの角部に形成されているため、操作用ナット部材５が雄ネジ部８と接触する接触面積が小さくなるので、操作用ナット部材５の厚さを大きくして、雄ネジ部８と噛み合うネジ山の数が多くなるように構成してある。      
【００６６】
尚、厚板部４ｂの形状や、操作用ナット部材５の形状は適宜変更可能であり、例えば、厚板部４ｂの平面形状を三角形に形成し、操作用ナット部材５に３つの突出した操作部を形成してもよい。
【００６７】
以上説明したバインダー用金具１の作用、効果について説明する。
【００６８】
書類などのファイル対象物Ｐを装着する際は、ファイル対象物Ｐの左端部をベース板２と押圧部材４の間に装着し、ファイル対象物Ｐの左端面を１対のロッド部材３に当接させて位置決めしてから、操作用ナット部材５を左手で軽く押圧した状態（但し、これは省略可能である）で、右手で操作用ナット部材５を締結側へ急回転させて押圧部材４に当接させ、その後操作用ナット部材５を右手で強く回転駆動することでファイル対象物Ｐを迅速に且つ強力にクランプ状態にすることができる。
【００６９】
ファイル対象物Ｐを取り外す際は、操作用ナット部材５を手動で緩めてから、ファイル対象物Ｐを簡単に迅速に取り外すことができ、その後前記と同様に操作用ナット部材５を手動で強く回転駆動することでファイル対象物Ｐを迅速に且つ強力にクランプ状態にすることができる。押圧部材４をロッド部材３に対して上下に平行に昇降移動可能で且つファイル対象物Ｐを押圧する状態では押圧部材４の押圧面１０とロッド部材３のなす角度をほぼ直角に保持するように構成したので、ファイル対象物Ｐに押圧痕が残ったりすることがなく、ファイル対象物Ｐをクランプする機構が簡単になる。このバインダー用金具１では、部品数が少なく、構造が簡単で、安価に製作することができる。
【００７０】
ロッド部材３は、その水平断面が、角部を円弧にしたほぼ正方形であるため、ロッド部材３により押圧部材４の水平方向への回転を規制でき、ロッド部材３の４つの角部に雄ネジ部８が形成されたため、雄ネジ部８から操作用ナット部材５に作用する摩擦抵抗も小さくなり、操作用ナット部材５を円滑に回転させることができる。
【００７１】
ロッド部材３の右側面が案内面３ｂに形成され、この案内面３ｂでファイル対象物Ｐの左端を受け止めた状態で、ファイル対象物Ｐを押圧する際に、ファイル対象物Ｐの左端が案内面ｂに対して相対的に下方移動しても、案内面ｂが平面であるためファイル対象物Ｐの左端に傷つくことがない。
【００７２】
押圧部材４の厚板部４ｂに被案内孔９が形成され、その被案内孔９の内壁面に傾動規制部９ａ，９ｂが形成され、この傾動規制部９ａ，９ｂにより、ファイル対象物Ｐを押圧する状態では押圧部材４の押圧面１０とロッド部材３とのなす角度をほぼ直角に保持することができる。被案内孔９はその水平断面が正方形に形成され、その角部の空間に雄ネジ部８が臨んでいるため、ロッド部材３の雄ネジ部８と押圧部材４が干渉せず、押圧部材４を円滑に昇降させることができる。ロッド部材３の間において押圧部材４の左端部がファイル対象物Ｐの左端から左方へ張り出して、押圧部材４を昇降させる際に指で掴むのに好適の把持部４ｃが形成されている。但し、この把持部４ｃは省略可能である。
【００７３】
このバインダー用金具１では、操作用ナット部材５とロッド部材３の雄ネジ部８とからなるネジ機構で押圧部材４をベース板２の方へ押圧駆動する構成であるので、ネジ機構によって十分大きなクランプ力を発生させることができる。それ故、厚いファイル対象物Ｐのファイルに適したバインダー用金具を実現することができる。しかも、ファイル対象物Ｐを着脱する際の操作も簡単で、迅速に行うことができる。
【００７４】
ロッド部材３をビス部材７でベース板２に取外し可能に固定するため、ユーザーがロッド部材３をベース板２に固定することができるから、ベース板２からロッド部材３を取り外した状態で、バインダー用金具１を梱包用ケースに収納して輸送することができる。梱包用ケースの小型化を図り、輸送費の軽減を図ることができる。少なくとも、ロッド部材３と押圧部材４と操作用ナット部材５とをマグネシウム合金の射出成形品で構成するため、バインダー用金具１を軽量化することができ、製作費を著しく低減することができる。      
【００７５】
ロッド部材３を長く構成することも可能であるので、厚いファイル対象物Ｐを強力にクランプできるバインダー用金具を実用化することができる。
【実施例２】
【００７６】
次に、実施例２のバインダー用金具１Ａについて、図９〜図１１に基づいて説明する。      
【００７７】
このバインダー用金具１Ａは、押圧部材を１対のロッド部材３に対応する１対の押圧部材４Ａとして構成した点で、実施例１のバインダー用金具１と異なるのみでその他の構成は同様であるので、その異なる構成についてだけ説明する。押圧部材４Ａは平面視ほぼ正方形状に形成され、押圧部材４Ａは本体板部４ｄと厚板部４ｂとを有する。押圧部材４Ａのサイズは例えば３０ｍｍ×３０ｍｍであり、厚板部４ｂのサイズは例えば１７ｍｍ×１７ｍｍである。
【００７８】
この押圧部材４Ａは、小型であり簡単に昇降させることができるため、ロッド部材３の前後の案内面３ｃ，３ｄと被案内孔９の内壁面間の摺動隙間を前記実施例１のものよりも狭く形成してもよい。１対の押圧部材４Ａを全体として小型、軽量化することができるため、製作費低減の面で有利である。その他、前記のバインダー用金具１と同様の作用、効果が得られる。尚、押圧部材４Ａが水平方向に回転することはない。
【実施例３】
【００７９】
次に、実施例３のバインダー用金具１Ｂについて図１２〜図１６に基づいて説明する。      
【００８０】
このバインダー用金具１Ｂは、ロッド部材３Ｂと押圧部材９Ｂと被案内孔９Ｂと傾動規制部９ｃ，９ｄの構造が、実施例１のバインダー用金具と異なるだけでその他の構成は同様であるので、異なる構造についてのみ説明する。
【００８１】
ロッド部材３Ｂが水平断面が円形のネジ軸で構成され、ロッド部材３Ｂの外周面には全長に亘って雄ネジ部８Ｂが形成され、この雄ネジ部８Ｂに操作用ナット部材５が螺合される。押圧部材４Ｂは本体板部４ｅと厚板部４ｆとを有し、厚板部４ｆにはロッド部材３Ｂが摺動自在に挿通する断面円形の被案内孔９Ｂが形成されている。被案内孔９Ｂの内壁面にはファイル対象物Ｐを押圧する状態では押圧面１０Ｂとロッド部材３Ｂとのなす角度をほぼ直角に保持する為の傾動規制部９ｃ，９ｄが形成されている。
【００８２】
ロッド部材３Ｂの雄ネジ部８Ｂと押圧部材４Ｂが干渉しないように、被案内孔９Ｂの内壁面の上端部と下端部にはテーパ状に面取りした面取り部９ｅが形成されている。但し、この面取り部９ｅの代わりに丸み部を形成してもよい。それ故、押圧部材４Ｂを昇降させる際に、押圧部材４Ｂの被案内孔９Ｂの上下両端の縁と雄ネジ部８Ｂが干渉することなく、円滑に昇降させることができる。その他、バインダー用金具１と同様の作用、効果が得られる。この実施例のロッド部材３B は、マグネシウム合金の射出成形品から製作してもよいが、細いロッド部材とするためには鋼製のネジ軸で構成することが望ましい。
【実施例４】
【００８３】
次に、実施例４のバインダー用金具１Ｃについて図１７〜図１９に基づいて説明する。      
【００８４】
このバインダー用金具は、実施例３のバインダー用金具１Ｂにおける押圧部材４Ｂを１対の押圧部材４Ｃとして構成したものであり、それ以外は実施例３と同様であるので、実施例１，３と同じものに同じ符号を付し、異なる構造についてのみ説明する。押圧部材４Ｃは平面視ほぼ正方形状に形成され、押圧部材４Ｃは本体板部４ｇと厚板部４ｈとを有する。押圧部材４Ｃのサイズは例えば３０ｍｍ×３０ｍｍであり、厚板部４ｈのサイズは例えば１７ｍｍ×１７ｍｍである。
【実施例５】
【００８５】
次に、実施例５のバインダー用金具１Ｄについて図２０〜図２３に基づいて説明する。      
【００８６】
このバインダー用金具１Ｄは、実施例４のバインダー用金具１Ｃにおける押圧部材４Ｃをメッキ鋼板又はステンレス鋼板のプレス成形品で構成したものであり、それ以外は実施例３と同様であるので、実施例１，３と同じものに同じ符号を付し、異なる構造についてのみ説明する。
【００８７】
押圧部材４Ｄは、厚さ例えば、０．６〜１．０ｍｍの鋼板で形成され、１対のロッド部材３Ｂに対応する部位には、プレス成形加工により、断面円形の被案内孔９Ｂを形成する筒状部４ｉが一体的に形成され、この被案内孔９Ｂにロッド部材３Ｂが摺動隙間をもって挿通している。筒状部４ｉの高さ寸法は例えば３．０〜５．０ｍｍであり、この筒状部４ｉの内壁面のうちの左側壁面と右側壁面とで傾動規制部９ｆ，９ｇが形成されている。この傾動規制部９ｆ，９ｇにより押圧部材４Ｄの傾動が規制されるため、押圧部材４Ｄでファイル対象物Ｐをクランプした状態においても、押圧部材４Ｄの押圧面１０Ｄとロッド部材３Ｂのなす角度がほぼ直角に保持される。
【００８８】
被案内孔９Ｄの内壁面の上端部にはテーパ状にした面取り部９ｈが形成されている。被案内孔９Ｄの内壁面の下端部には、プレス成形加工により丸みが自動的に付けられる。そのため、押圧部材４Ｄがロッド部材３Ｂの雄ネジ部８Ｂと干渉することなく、ロッド部材３Ｂに対して円滑に上下に平行に昇降可能である。ロッド部材３Ｂに螺合された操作用ナット部材５は、筒状部４ｉの上端に当接し、操作用ナット部材５を回転させることにより筒状部４ｉを下方へ押圧可能である。
【００８９】
尚、図２３に示すように、操作用ナット部材５Ｄの下面側の凹部５ｂに、押圧部材４Ｄの筒状部４ｉの一部が収容されるように構成してもよい。この場合、操作用ナット部材５Ｄをマグネシウム合金の成形品で構成してもよいが、鋼板やステンレス鋼板をプレス成形した成形品で構成してもよい。                                                  
【実施例６】
【００９０】
次に、実施例６のバインダー用金具１Ｅについて図２４に基づいて説明する。
【００９１】
このバインダー用金具１Ｅは、実施例３のバインダー用金具１Ｂにおけるロッド部材３Ｂと、被案内孔９Ｅの構造を変更したものであり、それ以外は実施例３と同様であるので、実施例１，３と同じものに同じ符号を付し、異なる構造についてのみ説明する。
【００９２】
ロッド部材３Ｅの左側部と右側部には全長に亘って延びる平面状の案内面３ｅ，３ｆが形成され、ロッド部材３Ｅの周面のうちの案内面３ｅ，３ｆ以外の部分には部分円筒面状の雄ネジ部８Ｅが形成されている。押圧部材４Ｂの被案内孔９Ｅはロッド部材３Ｅが小さな摺動隙間をもって摺動可能な孔に形成され、被案内孔９Ｅの内壁面の左側壁面と右側側面には傾動規制部が形成されている。このロッド部材３Ｅは、雄ネジ部８Ｅも一体的に成形したマグネシウム合金の射出成形品で構成することができる。
【００９３】
このロッド部材３Ｅの場合、雄ネジ部８Ｅの周方向の幅が大きいため、操作用ナット部材５の厚さを小さく構成できるので有利であり、１対のロッド部材３Ｅの案内面３ｆでファイル対象物Ｐの左端部を受け止めて、ファイル対象物Ｐを傷付けることなくファイルすることができる。
【００９４】
ここで、前記実施例１〜６を部分的に変更する例について説明する。
［１］前記押圧部材４，４Ａ〜４Ｃの厚板部４ｂを本体板部４ａと一体品に構成する代わりに、本体板部４ａに厚板部４ｂをスポット溶接等で溶接接合してもよい。
［２］押圧部材４，４Ａ〜４Ｄの押圧面１０，１０Ｂ，１０Ｄとファイル対象物Ｐ間の摩擦力を増すために、押圧面を平滑面以外の微小凹凸または梨地模様のある摩擦面に形成することも望ましく、押圧面にゴムコート層を形成してもよい。
［３］バインダー用金具１，１Ａ〜１Ｅは、必ずしも１対のロッド部材３，３Ｂ，３Ｅを有する必要はなく、ベース板２の他に、１個のロッド部材３，３Ｂ、３Ｅ、１個の押圧部材４Ａ，４Ｃ、１個の操作用ナット部材５，５Ｄなどを設けた構成でもよい。
［４］ロッド部材３，３Ｂ，３Ｅをネジ機構で継ぎ足し可能な複数の分割ロッド部材で構成してもよい。
【００９５】
この場合、分割ロッド部材の上端部に前記のネジ穴に螺合可能なネジ部を形成するか、分割ロッド部材の上端部にも前記のネジ穴６と同様のネジ穴を形成しておき、小径のネジ軸（ボルト部材）を用いて分割ロッド部材を継ぎ足すように構成する。
［５］その他、本発明のバインダー用金具の趣旨を逸脱しない範囲で、当業者ならば種々の変更を加えて実施でき、本発明はそのようなものも包含するものである。
【実施例７】
【００９６】
この実施例７は、表紙部材２０に実施例１のバインダー用金具１を組み込んだバインダーに関するものであるが、バインダー用金具１自体は実施例１のものと同様であるので、その説明は省略する。図２５、図２６に示すように、このバインダー２０の表紙部材２１は、厚紙シート材または合成樹脂製シート材で構成されている。表紙部材２１は、Ａ４サイズよりも大きな裏側表紙２２と、この裏側表紙２２の左端に連なる背表紙２３と、この背表紙２３の左端に連なる表側表紙２４とで構成されている。
【００９７】
表紙部材２１の全体と裏側表紙２２はファイル対象物Ｐを着脱する際の姿勢において水平であり、以下の説明はこの姿勢を基準として説明する。裏側表紙２２と背表紙２３の境界には折れ部２５が形成され、背表紙２３と表側表紙２４の境界にも折れ部２６が形成されている。裏側表紙２２の左端部分の前後方向の中央部にバインダー用金具１が取り付けられている。バインダー用金具１のベース板２は裏側表紙２２の左端部分の内面の前後方向の中央部に少なくとも２つのリベットなどで固定されている。背表紙２２の幅は、ロッド部材３の高さよりも幾分大きく形成されている。
【００９８】
このバインダー２０にファイル対象物Ｐをファイルする場合、図２６に２点鎖線で示すようにファイル対象物Ｐをセットしてファイルしてもよいが、ファイル対象物Ｐの厚さが大きくなった状態では、３点鎖線で示すように、ファイル対象物Ｐの前端を裏側表紙２２の前端に揃えた状態にファイルすることが望ましい。表紙部材２１が支持するファイル対象物Ｐの重量を軽減するためである。
【００９９】
ここで、前記実施例７を部分的に変更する例について説明する。
［１］前記バインダー２０において、実施例７のバインダー用金具１の代わりに、バインダー用金具１Ａ〜１Ｅの何れかを表紙部材２１に設ける。
［２］バインダー２０の表紙部材２１は、厚手の台紙としての裏側表紙２２のみを備えていてもよく、この場合、表紙部材２１から背表紙２３と表側表紙２４は省略可能である。［３］その他、本発明のバインダーの趣旨を逸脱しない範囲で、当業者ならば種々の変更を加えて実施でき、本発明はそのようなものも包含するものである。      
【図面の簡単な説明】
【０１００】
【図１】実施例１のバインダー用金具の正面図である。
【図２】図１のバインダー用金具の右側面図である。
【図３】図１のバインダー用金具の左側面図である。
【図４】図１のバインダー用金具の底面図である。
【図５】図１のバインダー用金具の平面図である。
【図６】図２のＶＩ−ＶＩ線拡大断面図である。
【図７】図２のＶＩＩ−ＶＩＩ線拡大断面図である。
【図８】図１のバインダー用金具（ファイル状態）の正面図である。
【図９】実施例２のバインダー用金具の右側面図である。
【図１０】図９のバインダー用金具の平面図である。
【図１１】図９のＸＩ−ＸＩ線拡大断面図である。
【図１２】実施例３のバインダー用金具の右側面図である。
【図１３】図１２のバインダー用金具の平面図である。
【図１４】図１２のＸＩＶ−ＸＩＶ線拡大断面図である。
【図１５】図１２のＸＶ−ＸＶ線拡大断面図である。
【図１６】図１２のバインダー用金具（ファイル状態）の正面図である。
【図１７】実施例４のバインダー用金具の右側面図である。
【図１８】図１７のバインダー用金具の平面図である。
【図１９】図１７のＸＩＸ−ＸＩＸ線拡大断面図である。
【図２０】実施例５のバインダー用金具の右側面図である。
【図２１】図２０のバインダー用金具の平面図である。
【図２２】図２０のＸＸII−ＸＸII線拡大断面図である。
【図２３】図２０のバインダー用金具を部分的に変更したものの図２２相当図である。
【図２４】実施例６のバインダー用金具の図１４相当図である。
【図２５】実施例７のバインダーの正面図である。
【図２６】図２５のバインダーの要部平面図である。
【符号の説明】
【０１０１】
１，１Ａ〜１Ｅ  バインダー用金具
２              ベース板
３，３Ｂ，３Ｅ  ロッド部材
３ａ，３ｂ      案内面
４，４Ａ，４Ｂ，４Ｃ，４Ｄ    押圧部材
４ａ            本体板部
４ｂ            厚板部
５，５Ｄ        操作用ナット部材
６              ネジ穴
７              ビス部材
８，８Ｂ，８Ｅ    雄ネジ部
９，９Ｂ          被案内孔
９ａ，９ｂ；９ｃ，９ｄ    傾動規制部
１０，１０Ｂ，１０Ｄ      押圧面
Ｐ                ファイル対象物
【図１】
2007125721.tif 000003
【図２】
2007125721.tif 000004
【図３】
2007125721.tif 000005
【図４】
2007125721.tif 000006
【図５】
2007125721.tif 000007
【図６】
2007125721.tif 000008
【図７】
2007125721.tif 000009
【図８】
2007125721.tif 000010
【図９】
2007125721.tif 000011
【図１０】
2007125721.tif 000012
【図１１】
2007125721.tif 000013
【図１２】
2007125721.tif 000014
【図１３】
2007125721.tif 000015
【図１４】
2007125721.tif 000016
【図１５】
2007125721.tif 000017
【図１６】
2007125721.tif 000018
【図１７】
2007125721.tif 000019
【図１８】
2007125721.tif 000020
【図１９】
2007125721.tif 000021
【図２０】
2007125721.tif 000022
【図２１】
2007125721.tif 000023
【図２２】
2007125721.tif 000024
【図２３】
2007125721.tif 000025
【図２４】
2007125721.tif 000026
【図２５】
2007125721.tif 000027
【図２６】
2007125721.tif 000028